(57)【要約】【課題】電子デバイスの支持構造が占める空間を縮小し、さらに製造コストを減らす目的を達成すること。【解決手段】本発明に係る支持構造は電子デバイスの上端本体を支えるためのものであり、上端本体が前記電子デバイスの下端本体に対向して軸回転することができる。この支持構造は台座、板部材、連動シャフトとねじり力発生装置からなるものである。台座は下端本体に固定され、板部材は上端本体に固定され、且つ台座に連動シャフトが貫通されると共に、連動シャフトにねじり力発生装置が巻き付けられ、ねじり力発生装置の一端は外へ延伸し板部材に固定され、これにより台座と板部材が結合し軸回転を行なう。【選択図】図３Ａ
2008144958.tif 000002
【特許請求の範囲】
【請求項１】
電子デバイスの上端本体を支えるためのものであり、前記上端本体が前記電子デバイスの下端本体に対向して軸回転することができる支持構造であって、
前記下端本体に固定される台座と、
前記上端本体に固定される板部材と、
前記台座を貫通して設置され、前記板部材と結合し前記板部材を前記台座に対向して軸回転させる連動シャフトと、
前記連動シャフトに巻き付けられ一端が外へ延伸し前記板部材に固定される少なくとも一つのねじり力発生装置を含み、
前記板部材は上向きに軸回転した後、前記上端本体の重さによりねじり力発生装置の内径が前記連動シャフトを締め、ねじり力を発生させ、これにより前記電子デバイスの上端本体を支えることを特徴とする支持構造。
【請求項２】
前記板部材が少なくとも一つの位置決め部を含み、前記ねじり力発生装置の一端を前記板部材に巻き付け固定するのに用いられることを特徴とする請求項１に記載する支持構造。
【請求項３】
前記ねじり力発生装置の一端は巻き付けによりシュリンク部が形成され前記板部材の前記位置決め部と結合するのに用いられることを特徴とする請求項２に記載する支持構造。
【請求項４】
前記板部材は少なくとも一つの貫通孔を含み、前記ねじり力発生装置の一端に貫通させ巻き付け固定するのに用いられることを特徴とする請求項１に記載する支持構造。
【請求項５】
さらにロック部品を含み、前記板部材を固着し前記ねじり力発生装置の一端を巻き付けることを特徴とする請求項１に記載する支持構造。
【請求項６】
前記連動シャフトは少なくとも一つの溝を含み、前記ねじり力発生装置の一部を巻き付けるのに用いられることを特徴とする請求項１に記載する支持構造。
【請求項７】
電子デバイスの上端本体を支えるためのものであり、前記上端本体が前記電子デバイスの下端本体に対向して軸回転することができる支持構造であって、
前記下端本体に固定される台座と、
前記上端本体に固定される板部材と、
前記台座を貫通して設置され、前記板部材と結合し前記板部材を前記台座に対向して軸回転させる連動シャフトと、
両端がそれぞれ前記連動シャフトに巻き付けられ、中間位置は外へ延伸し前記板部材に固定される少なくとも一つのねじり力発生装置を含み、
前記板部材は上向きに軸回転した後、前記上端本体の重さによりねじり力発生装置の内径が前記連動シャフトを締め、ねじり力を発生させ、これにより前記電子デバイスの上端本体を支えることを特徴とする支持構造。
【請求項８】
前記板部材が少なくとも一つの位置決め部を含み、前記ねじり力発生装置の一端を前記板部材に巻き付け固定するのに用いられることを特徴とする請求項７に記載する支持構造。
【請求項９】
さらにロック部品を含み、前記板部材を固着し前記ねじり力発生装置の一端を巻き付けることを特徴とする請求項７に記載する支持構造。
【請求項１０】
前記連動シャフトは少なくとも一つの溝を含み、前記ねじり力発生装置の一部を巻き付けるのに用いられることを特徴とする請求項７に記載する支持構造。
【発明の詳細な説明】
【技術分野】
【０００１】
本発明は電子デバイスの支持構造に係わり、特に電子デバイスの上端本体と下端本体に用いられ対向して軸回転することのできる支持構造である。
【背景技術】
【０００２】
多機能化技術の進歩に従い、数が増えているＯＡ機器はファックス、スキャナー、コピー、プリンターなどの機能を備えており、ＯＡ機器は数多くの文書処理能力を持つだけでなく、さらに小型で機能がすぐれている。その上、組み立て工程も簡単で、電話線、インターネット回線、電源コードを接続するだけですぐパソコンに合わせて使用できるので、ＯＡ機器はますます受け入れられている。
【０００３】
従来のＯＡ機器は赤外線イメージスキャナー（ＩＲ  Ｉｍａｇｅ  Ｉｎｐｕｔ  Ｄｅｖｉｃｅ）と自動原稿送り装置（ＡＤＦ）を含む。ＯＡ機器の内部エンジンがメンテナンスを必要とするとき、赤外線イメージスキャナーと自動原稿送り装置を開けなければならないが、赤外線イメージスキャナーと自動原稿送り装置の重量がかなり重いため、従来のＯＡ機器により設置されるヒンジ或いは連接棒構造は安定して赤外線イメージスキャナーと自動原稿送り装置を固定することができない。赤外線イメージスキャナーと自動原稿送り装置が落ちやすくなるだけでなく、メンテナンスをする人にも怪我をさせてしまう。
【０００４】
図１に示すように、従来のＯＡ機器は上端本体Ａ０１と下端本体Ａ０２を含み、上端本体Ａ０１と下端本体Ａ０２の間にはヒンジ部品Ａ１１が設けられている。ヒンジ部品Ａ１１の外部にはスプリングＡ１２が嵌められており、ヒンジ部品Ａ１１の一端は上蓋板Ａ１３に固定され、他端は下蓋板Ａ１４に固定されている。ＯＡ機器の上端本体Ａ０１が上向きに開けられたり下向きに閉じられるとき、ヒンジ部品Ａ１１とスプリングＡ１２は同時に伸び縮みし、並びに上端本体Ａ０１の開け閉めの角度により、抵抗ねじり力が生じ、上端本体Ａ０１の重量を支える。ＯＡ機器が小型化されていくので、ヒンジ部品Ａ１１とスプリングＡ１２の大きさもＯＡ機器の体積に従い小さくしなければならず、抵抗ねじり力の大きさを制限することになる。抵抗ねじり力が上端本体Ａ０１の重量を支えられなくなったとき、上端本体Ａ０１全体が落下することで内部の電子部品に大きな衝撃を与え、さらにメンテナンスをする人の安全をも脅かすことになる。
【発明の開示】
【発明が解決しようとする課題】
【０００５】
従って、電子デバイスの上端本体が開け閉めされるときの安定性を確保し、支持構造の部品の数を減らすために、支持構造が占める空間を縮小し、さらに製造コストを減らす目的を達成することは今すぐに解決すべき課題である。
【課題を解決するための手段】
【０００６】
以上に鑑み、本発明は電子デバイスの上端本体を支えるための支持構造を提案し、上端本体は電子デバイスの下端本体に対向して軸回転することができる。支持構造は下端本体に固定される台座と、上端本体に固定される板部材と、台座を貫通して設置され、板部材と結合し板部材を台座に対向して軸回転させる連動シャフトと、連動シャフトに巻き付けられ一端が外へ延伸し板部材に固定される少なくとも一つのねじり力発生装置を含み、板部材は上向きに軸回転するとき、ねじり力発生装置の内径が連動シャフトを弛ませ、上端本体をいずれかの角度で静止させるか、または位置決め点まで下降させて支え、上端本体の重さによりねじり力発生装置の内径が連動シャフトを締め、ねじり力を発生させ、これにより電子デバイスの上端本体を支えることができる。
【０００７】
ねじり力発生装置の内径が前記連動シャフトを弛ませることにより板部材が上に軸回転し、さらに板部材が台座に対向して軸回転するとき、連動シャフトは下端本体を固定し、ねじり力発生装置は板部材に応じて軸回転する。
【０００８】
本発明の支持構造はさらにロック部品を含み、ねじり力発生装置の一端は巻き付けによりシュリンク部が形成され、シュリンク部がロック部品をはめ込むことでねじり力発生装置の一端は板部材に固定される。
【０００９】
このほか、板部材が位置決め部を含み、ねじり力発生装置の一端は巻き付けによりシュリンク部が形成され、シュリンク部が位置決め部をはめ込むことでねじり力発生装置の一端は板部材に固定される。
【００１０】
上記の板部材にはねじり力発生装置の一端に貫通させ巻き付けるのに用いられる貫通孔を設けることもでき、それによりねじり力発生装置の一端は板部材に固定される。
【００１１】
また、連動シャフトはねじり力発生装置の一部を巻き付けるのに用いられる溝を含み、この残留応力により板部材が上向きに軸回転するとき、ほぞのような突起やフックの弾力から引き離すことができる。
【００１２】
本発明はまた電子デバイスの上端本体を支えるための支持構造を提案し、上端本体は電子デバイスの下端本体に対向して軸回転することができる。支持構造は下端本体に固定される台座と、上端本体に固定される板部材と、台座を貫通して設置され、板部材と結合し板部材を台座に対向して軸回転させる連動シャフトと、両端がそれぞれ連動シャフトに巻き付けられ、中間位置は外へ延伸し板部材に固定される少なくとも一つのねじり力発生装置を含み、板部材は上向きに軸回転するとき、ねじり力発生装置の内径が連動シャフトを弛ませ、上端本体をいずれかの角度で静止させるか、または位置決め点まで下降させて支え、上端本体の重さによりねじり力発生装置の内径が連動シャフトを締め、ねじり力を発生させ、これにより電子デバイスの上端本体を支えることができる。
【００１３】
ねじり力発生装置の内径が前記連動シャフトを弛ませることにより板部材が上に軸回転し、さらに板部材が台座に対向して軸回転するとき、連動シャフトは下端本体を固定し、ねじり力発生装置は板部材に応じて軸回転する。
【００１４】
本発明の支持構造はさらにロック部品を含み、ねじり力発生装置の一端は巻き付けによりシュリンク部が形成され、シュリンク部がロック部品をはめ込むことでねじり力発生装置の一端は板部材に固定される。
【００１５】
このほか、板部材が位置決め部を含み、ねじり力発生装置の一端は巻き付けによりシュリンク部が形成され、シュリンク部が位置決め部をはめ込むことでねじり力発生装置の一端は板部材に固定される。
【００１６】
また、連動シャフトはねじり力発生装置の一部を巻き付けるのに用いられる溝を含み、この残留応力により板部材が上向きに軸回転するとき、ほぞのような突起やフックの弾力から引き離すことができる。
【発明の効果】
【００１７】
本発明によれば、支持構造が必要とする部品の数を減らすことができ、支持構造が占める空間を縮小し、組み立てを簡単にし、製造コストを減らす目的を達成することができる。
また本発明で提案している構造は負荷が大きい上端本体にも用いることができ、従来構造の支えるためのねじり力が足りず上端本体が脱落するという問題が解決できる。
【発明を実施するための最良の形態】
【００１８】
本発明に関わる最適な実施例とその効果は以下に図式を組み合わせて説明を行う。
【実施例】
【００１９】
図２、図３Ａ、図３Ｂは支持構造の第一の実施例であり、図２にねじり力発生装置の外観図、図３Ａに支持構造が閉じている状態の概略図、図３Ｂに支持構造が開いている状態の概略図を示す。
【００２０】
支持構造１は台座１１、板部材１２、連動シャフト１３とねじり力発生装置１４を含む。
【００２１】
台座１１は電子デバイスの下端本体に固定されている。
【００２２】
板部材１２は電子デバイスの上端本体に固定されている。
【００２３】
連動シャフト１３は台座１１を貫通して設置され、板部材１２と結合し板部材１２を台座１１に対向して軸回転させる。
【００２４】
ねじり力発生装置１４は一端が連動シャフト１３に巻き付けられ他端が外へ延伸し板部材１２に固定される。ねじり力発生装置１４が同方向の力を受けるとき連動シャフト１３を締め、逆方向の力を受けるとき連動シャフト１３を弛める。また、板部材１２が台座１１に対向して軸回転するとき、ねじり力発生装置１４は板部材１２に応じて軸回転する。
【００２５】
上記説明のねじり力発生装置１４はスプリングであり、電子デバイスの上端本体はよく見かける自動原稿送り装置（ＡＤＦ）、赤外線イメージスキャナー（ＩＲ  ＩＭＡＧＥ  ＩＮＰＵＴ  ＤＥＶＩＣＥ）或いは防塵カバーなどで良く、自動原稿送り装置（ＡＤＦ）、赤外線イメージスキャナー（ＩＲ  ＩＭＡＧＥ  ＩＮＰＵＴ  ＤＥＶＩＣＥ）は上下部本体を備えた製品で、且つ上部本体を支えることが目的で、防塵カバーを組み合わせたものでも良い。
【００２６】
本発明で提案している構造は、さらにロック部品１５を含み、板部材１２を固着し、ねじり力発生装置１４の一端は巻き付けられることによりシュリンク部１４１を形成し、シュリンク部１４１をロック部品１５にかぶせることで、ねじり力発生装置１４の一端が板部材部品１２に固定される。
【００２７】
図４Ａ、図４Ｂは支持構造の第一の実施例であり、図４Ａにねじり力発生装置の外観図、図４Ｂに支持構造が閉じている状態の概略図を示す。
【００２８】
連動シャフト１３が台座１１に設置され、両端は板部材１２に結合しているので、板部材が上向きに軸回転でき、ねじり力発生装置１４の内径が連動シャフト１３を弛ませることができる。従って、ユーザーが電子デバイスの上端本体を開ける時、ねじり力発生装置１４の内径が連動シャフト１３を弛ませ、板部材１２が台座１１に対向して上向きに軸回転する。ユーザーが開けるのを止めると、上端本体の重さによりねじり力発生装置１４の内径が連動シャフト１３を締め、ねじり力を発生させる。これにより、電子デバイスの上端本体が下端本体に対向して回転するとき、支持構造１により安定して電子デバイスの上端本体を支えることができ、電子デバイスの上端本体をいずれかの角度で静止させるか或いはゆっくりと落下させることにより電子デバイスの上端本体が開け閉めの過程において重さのために完全に支えることができなくなり脱落するということは起こらない。
【００２９】
図５に第二の実施例において閉じている状態の概略図を示す。
【００３０】
支持構造１には複数のねじり力発生装置１４が設けられ、そのうち、ねじり力発生装置１４の右端は巻き付けられることによりシュリンク部１４１を形成し、シュリンク部１４１をロック部品１５にかぶせることで、ねじり力発生装置１４の一端が板部材部品１２に固定される。別のねじり力発生装置１４は左端から巻き付けられることによりシュリンク部１４１を形成し、シュリンク部１４１をロック部品１５にかぶせる。
【００３１】
図６に第三の実施例における連動シャフトの外観図を示す。
【００３２】
支持構造１の連動シャフト１３が少なくとも一つの溝１３１を含み、溝１３１の幅はねじり力発生装置１４より狭く、ねじり力発生装置の一部を溝１３１に巻き付け、他の部分は連動シャフト１３に巻き付ける。ユーザーが電子デバイスの上端本体をほぞのような突起やフックで位置を定めるとき、ねじり力発生装置１４は溝１３１で締められ、残留応力が生じる。従ってユーザーが電子デバイスの上端本体をほぞのような突起やフックから外すと、溝１３１に巻き付けられているねじり力発生装置１４が残留応力を生じ、板部材１２が上向きに軸回転をするとき、ほぞのような突起やフックから離れることが可能な弾力を生じる。
【００３３】
図７に第四の実施例において閉じている状態の概略図を示す。
【００３４】
支持構造１の板部材１２は位置決め部１２１を含み、ねじり力発生装置１４の一端は巻き付けられることによりシュリンク部１４１を形成し、シュリンク部１４１を位置決め部１２１にかぶせることで、ねじり力発生装置１４の一端が板部材部品１２に固定される。ねじり力発生装置１４のねじり力により電子デバイスの上端本体を支えることで、電子デバイスの上端本体はいずれかの角度で停止できるか或いはゆっくりと落下することができる。
【００３５】
このほか、板部材１２に貫通孔を設置でき、それはねじり力発生装置１４の一端に貫通させ巻き付けることで板部材１２に固定するものである。
【００３６】
図８、図９は支持構造の第五の実施例であり、図８にねじり力発生装置の外観図、図９に支持構造が閉じている状態の概略図を示す。
【００３７】
本実施例において、ねじり力発生装置１４の両側はそれぞれ連動シャフト１３に巻き付けられ、中間位置は外へ延伸し位置決め部１２１に巻き付けられる。ねじり力発生装置１４は板部材１２に固定され、ねじり力発生装置１４のねじり力により電子デバイスの上端本体を支えることで、電子デバイスの上端本体はいずれかの角度で停止できるか或いはゆっくりと落下することができる。
【００３８】
本発明の最適な実施例において、上記説明で用いられるねじり力発生装置１４ではスプリングが例に挙げられているが、本発明のねじり力発生装置１４はスプリングだけに限られるものではなく、これは説明のために特に用いただけである。
【００３９】
本発明で提案している構造は同じ向きの作用力を電子デバイスの上端本体を支える反対向きのねじり力とすることで、電子デバイスの上端本体はいずれかの角度で停止できるか或いはゆっくりと落下することができる。これにより支持構造が必要とする部品の数を減らすことができ、支持構造が占める空間を縮小し、組み立てを簡単にし、製造コストを減らす目的を達成することができる。また本発明で提案している構造は負荷が大きい上端本体にも用いることができ、従来構造の支えるためのねじり力が足りず上端本体が脱落するという問題は解決できる。
【図面の簡単な説明】
【００４０】
【図１】従来のＯＡ機器の支持装置を示す概略図。
【図２】本発明の第一の実施例におけるねじり力発生装置の外観図。
【図３Ａ】本発明の第一の実施例における支持構造が閉じている状態の概略図。
【図３Ｂ】本発明の第一の実施例における支持構造が開いている状態の概略図
【図４Ａ】本発明の第一の実施例におけるねじり力発生装置の外観図。
【図４Ｂ】本発明の第一の実施例における支持構造が閉じている状態の概略図。
【図５】本発明の第二の実施例において閉じている状態を示す概略図。
【図６】第三の実施例における連動シャフトの外観図。
【図７】第四の実施例において閉じている状態を示す概略図。
【図８】本発明の第五の実施例におけるねじり力発生装置の外観図。
【図９】本発明の第五の実施例における支持構造が閉じている状態の概略図。
【符号の説明】
【００４１】
１      支持構造
１１    台座
１２    板部材
１２１  位置決め部
１３    連動シャフト
１３１  溝
１４    ねじり力発生装置
１４１  シュリンク部
１５    ロック部品
Ａ０１  上端本体
Ａ０２  下端本体
Ａ１１  ヒンジ部品
Ａ１２  スプリング
Ａ１３  上蓋板
Ａ１４  下蓋板
【図１】
2008144958.tif 000003
【図２】
2008144958.tif 000004
【図３Ａ】
2008144958.tif 000005
【図３Ｂ】
2008144958.tif 000006
【図４Ａ】
2008144958.tif 000007
【図４Ｂ】
2008144958.tif 000008
【図５】
2008144958.tif 000009
【図６】
2008144958.tif 000010
【図７】
2008144958.tif 000011
【図８】
2008144958.tif 000012
【図９】
2008144958.tif 000013